(57)【要約】【課題】フラッシュを伴う連続撮影の際に、フラッシュの光量を連続撮影期間の各フレームについて過不足なく制御可能な連続撮影制御方法およびこれを適用した撮像装置を提供する。【解決手段】被写体の所定の時間間隔で連続して撮影する際に、各撮影において被写体からの反射光量に関する情報を取得し、取得した反射光量に関する情報に基づいて、被写体の撮影に適したフラッシュ光量および露出値を調整し、次のフレームの撮影処理に適用する。撮像装置において、被写体の所定の時間間隔で連続して撮影する撮影手段と、撮影手段による各撮影処理の過程で、被写体からの反射光量を計測する反射光量計測手段と、反射光量計測手段による計測によって取得した反射光量に関する情報に基づいて、被写体の撮影に適したフラッシュ光量および露出値を調整し、撮影手段による次のフレームの撮影処理に供する調整手段とを備える。【選択図】      図１
2008152097.tif 000002
【特許請求の範囲】
【請求項１】
被写体の所定の時間間隔で連続して撮影する際に、各撮影において被写体からの反射光量に関する情報を取得し、
取得した反射光量に関する情報に基づいて、前記被写体の撮影に適したフラッシュ光量および露出値を調整し、次のフレームの撮影処理に適用する、
ことを特徴とする連続撮影制御方法。
【請求項２】
被写体の所定の時間間隔で連続して撮影する撮影手段と、
前記撮影手段による各撮影処理の過程で、被写体からの反射光量を計測する反射光量計測手段と、
前記反射光量計測手段による計測によって取得した反射光量に関する情報に基づいて、前記被写体の撮影に適したフラッシュ光量および露出値を調整し、前記撮影手段による次のフレームの撮影処理に供する調整手段と
を備えたことを特徴とする撮像装置。
【請求項３】
請求項２に記載の撮像装置において、
前記撮像手段は、
前記フラッシュ光量を発生させる光源を駆動するコンデンサの充電電圧を検出する検出手段と、
前記充電電圧と前記調整手段によって調整されたフラッシュ光量の発生に必要な電荷量とに基づいて、前記コンデンサに蓄積された電荷が前記フラッシュ光量の発生に十分であるか否かを判定する判定手段と
を備えたことを特徴とする撮像装置。
【請求項４】
請求項３に記載の撮像装置において、
前記撮像手段は、
フラッシュ発光を優先するモードと撮影間隔を優先するモードのいずれかを選択する旨について利用者からの指示を予め受け付け、前記いずれかのモードを示すモード情報を保持するモード保持手段と、
前記判定手段による前記コンデンサに蓄積された電荷が不十分である旨の判定結果に応じて前記モード保持手段に保持されたモード情報を参照し、前記モード情報により、連写間隔を優先するモードが指示された場合は連続撮影を終了し、フラッシュ発光を優先するモードが指示された場合は、前記コンデンサに前記フラッシュ光量の発生に十分な充電電圧まで充電されるのを待って撮影を継続する制御を行う撮影制御手段とを備える
ことを特徴とする撮像装置。
【請求項５】
請求項２に記載の撮像装置において、
前記調整手段は、
調整対象のフレームに先立つフレームであって少なくとも２つの連続するフレームの撮影処理の過程で取得された反射光量計測手段による計測結果を保持する計測値保持手段と、
前記少なくとも２つの連続するフレームに対応する計測結果の変化に対応して推定される前記少なくとも２つの連続するフレーム間での前記被写体との距離の変化に基づいて、前記調整対象のフレームにおける前記被写体との距離を推定する距離推定手段と、
前記距離推定手段によって推定された距離に基づいて、前記被写体の撮影に適するフラッシュ光量および露出値を算出する演算手段とを備えた
ことを特徴とする撮像装置。
【発明の詳細な説明】
【技術分野】
【０００１】
本発明は、フラッシュを伴う連続撮影を制御するための連続撮影制御方法およびこれを適用した撮像装置に関する。
【背景技術】
【０００２】
フラッシュを伴う連続撮影では、撮影開始時の予備発光で得られた被写体の輝度情報に基づいて、フラッシュの発光量および露出値が決定され、この発光量および露出値が、連続撮影時の各フレームのフラッシュ発光制御および露光制御に適用されている。
このような連続撮影の制御に関する技術の例としては、撮影開始前に行われる調光演算によって求められた発光量と、各フレームの撮影時点における充電量とから次のフレームにおいてフラッシュを発光させる撮影が可能か否かを判定し、充電量がフラッシュの発光に不十分となったときにフラッシュ発光を停止させる技術がある（特許文献１参照）。
【特許文献１】特開２００５−２８４１６６号公報
【発明の開示】
【発明が解決しようとする課題】
【０００３】
ところで、移動する被写体を撮影する場合には、被写体の移動に応じて、被写体の撮影に必要なフラッシュ光量および露光時間が連続撮影の期間中にダイナミックに変動することを考慮する必要がある。例えば、撮影者に近づくように移動している被写体を連続撮影する場合には、連続撮影の数フレーム目に捉えられる被写体の撮影に適切なフラッシュの光量が、撮影開始時に求められたフラッシュの光量よりも大幅に小さくなる可能性があり、また、これにつれて、適切な露出値も変化する。
【０００４】
このように、連続撮影中に必要とされるフラッシュの光量や露出値が変化する可能性があるにもかかわらず、従来の連続撮影制御技術では、連続撮影間隔の短縮を実現するために、撮影開始時の予備発光の際に得られた情報に基づく一回のみの調光演算によってフラッシュ光量の算出および露出値の決定を行っていた。
このような制御方式を適用した場合には、連続撮影の途中のフレームから露出オーバーになってしまう場合でも、撮影開始時に求められた光量をそのまま適用されるので、過剰な光量を放出するために、フラッシュを駆動するコンデンサを必要以上に消耗させてしまうことになる。このような場合には、過剰な発光をさせるためにコンデンサに余分な放電をさせてしまっているために、フラッシュを伴う連続撮影が可能なフレーム数が必要以上に制限されてしまう。
【０００５】
本発明は、フラッシュを伴う連続撮影の際に、フラッシュの光量を連続撮影期間の各フレームについて過不足なく制御可能な連続撮影制御方法およびこれを適用した撮像装置を提供することを目的とする。
【課題を解決するための手段】
【０００６】
本発明にかかわる連続撮影制御方法は、以下のように構成される。
被写体の所定の時間間隔で連続して撮影する際に、各撮影において被写体からの反射光量に関する情報を取得し、取得した反射光量に関する情報に基づいて、被写体の撮影に適したフラッシュ光量および露出値を調整し、次のフレームの撮影処理に適用する。
本発明にかかわる第１の撮像装置は、以下のように構成される。
【０００７】
撮影手段は、被写体の所定の時間間隔で連続して撮影する。反射光量計測手段は、撮影手段による各撮影処理の過程で、被写体からの反射光量を計測する。調整手段は、反射光量計測手段による計測によって取得した反射光量に関する情報に基づいて、被写体の撮影に適したフラッシュ光量および露出値を調整し、撮影手段による次のフレームの撮影処理に供する。
【０００８】
本発明にかかわる第２の撮像装置は、以下のように構成される。
上述した第１の撮像装置に備えられる撮像手段において、検出手段は、フラッシュ光量を発生させる光源を駆動するコンデンサの充電電圧を検出する。判定手段は、充電電圧と調整手段によって調整されたフラッシュ光量の発生に必要な電荷量とに基づいて、コンデンサに蓄積された電荷がフラッシュ光量の発生に十分であるか否かを判定する。
【０００９】
本発明にかかわる第３の撮像装置は、以下のように構成される。
上述した第２の撮像装置に備えられる撮像手段において、モード保持手段は、フラッシュ発光を優先するモードと撮影間隔を優先するモードのいずれかを選択する旨について利用者からの指示を予め受け付け、いずれかのモードを示すモード情報を保持する。撮影制御手段は、判定手段によるコンデンサに蓄積された電荷が不十分である旨の判定結果に応じてモード保持手段に保持されたモード情報を参照し、モード情報により、連写間隔を優先するモードが指示された場合は連続撮影を終了し、フラッシュ発光を優先するモードが指示された場合は、コンデンサにフラッシュ光量の発生に十分な充電電圧まで充電されるのを待って撮影を継続する制御を行う。
【００１０】
本発明にかかわる第４の撮像装置は、以下のように構成される。
上述した第１の撮像装置に備えられる調整手段において、計測値保持手段と、調整対象のフレームに先立つフレームであって少なくとも２つの連続するフレームの撮影処理の過程で取得された反射光量計測手段による計測結果を保持する。距離推定手段は、少なくとも２つの連続するフレームに対応する計測結果の変化に対応して推定される少なくとも２つの連続するフレーム間での被写体との距離の変化に基づいて、調整対象のフレームにおける被写体との距離を推定する。演算手段は、距離推定手段によって推定された距離に基づいて、被写体の撮影に適するフラッシュ光量および露出値を算出する。
【発明の効果】
【００１１】
本発明にかかわる連続撮影制御方法およびこれを適用した撮像装置によれば、移動している被写体を連続撮影する場合にも、被写体との距離の変化に応じて過不足ないフラッシュ光量を決定し、連続して撮影される各フレームにおいて、被写体を適切な明るさで撮影することができる。
また、このような制御を行うことにより、露出オーバーとなるようなフラッシュ光量を発生させてフラッシュ光源を駆動するコンデンサを無駄に放電させてしまうことがないので、コンデンサの容量を有効に利用することができる。更に、撮影者に接近してくる被写体を撮影する場合などには、予備発光に基づいて求められたフラッシュ発行量を適用して連続撮影を行う場合に比べて、連続撮影可能なフレーム数を増加させることも可能である。
【発明を実施するための最良の形態】
【００１２】
以下、図面に基づいて、本発明の実施形態について詳細に説明する。
（第１の実施形態）
図１に、本発明にかかわる撮像装置の第１の実施形態を示す。
図１に示したデジタルカメラにおいて、画像の撮影の際に撮影光学系２１によって撮像素子２２上に結像された光は、この撮像素子２２によってその強度に応じた電気信号に変換され、更に、アナログ／デジタル(Ａ／Ｄ)変換器２３によってデジタルデータに変換されてメモリ２４に保持される。
【００１３】
図１に示したメモリ２４は、バスを介して画像処理部２５、記録処理部２６および撮影制御部２８に接続されている。上述したようにしてメモリ２４に格納されたデジタルデータについて、画像処理部２５により、符号化処理を含む画像処理が行われ、この画像処理結果として得られた圧縮画像データがバスを介して記録処理部２６に渡されて、記憶媒体２７に記録される。また、これらの各部、図示しないオートフォーカス制御部およびストロボの光源を駆動するストロボ駆動回路３０の動作は、操作パネル２９を介して利用者が入力した指示に従って撮影制御部２８によって制御される。
【００１４】
また、図１に示した測光データ収集部３１は、調光演算処理部３２あるいは調整処理部３３からの要求に応じて、メモリ２４に保持された撮像データあるいは画像処理部２５による処理が完了した画像データから被写体の輝度を計測に供すべき情報を抽出し、抽出した撮像情報(画像情報)を要求元の調光演算処理部３２あるいは調整処理部３３に返す。
上述した調光演算処理部３２は、撮影制御部２８からの指示に基づいて、連続撮影の開始時に、測光データ収集部３１を介して受け取った情報に基づいて、後述するようにして撮影の際に基本となるフラッシュの光量および露出値を算出し、これらの値を撮影制御部２８の処理に供する。また、調整処理部３３は、連続撮影中に、撮影制御部２８からの指示と測光データ収集部３１を介して受け取った情報とに基づいて、上述した調光演算処理部３２で得られたフラッシュの光量および露出値を調整し、撮影制御部２８の処理に供する。
【００１５】
また、図１に示したモード設定保持部３４には、操作パネル２９を介して利用者に設定された連続撮影に関するモード(後述する)を示す設定情報が保持されている。
例えば、利用者によって連続撮影が指示される際に、フラッシュの光量が不足しそうなときに、撮影間隔を延長して撮影を継続するモード(発光優先モード)と撮影を終了するモード(間隔優先モード)とのいずれかが選択され、選択されたモードを示す設定情報が、モード設定保持部３４に保持される。
【００１６】
また、撮影に先立って、レリーズボタンが半押しされた段階で、オートフォーカス制御部が撮影用の光学系２１を駆動することにより、被写体を対象とした合焦処理が行われており、この過程において得られる被写体との距離を示す情報は、必要に応じて撮影制御部２８を介して調光演算処理部３２に渡される。
以下、本発明にかかわる撮像装置による連続撮影動作について詳細に説明する。
【００１７】
図２に、連続撮影動作を表す流れ図を示す。
上述したようにして利用者によって連続撮影が指示され、また、レリーズボタンの全押し操作によって撮影開始が指示されたときに、図２に示す連続撮影動作が開始され、まず、予備発光が行われる(ステップＳ１)。このとき、ストロボ駆動回路３０内部のメインコンデンサから、撮影制御部２８からの指示に応じた予備発光用の電力が放出されて放電管(図示せず)に印加され、また、測光データ収集部３１により、予備発光の際に撮像素子２２で得られた撮像データに対応する測光データが収集される。
【００１８】
このようにして予備発光に対応して収集された測光データは、上述したオートフォーカス制御部において得られる被写体との距離を示す情報とともに、調光演算処理部３２に渡され、これらの情報に基づいて、調光演算処理部３２により、被写体の輝度が求められ、更に、この被写体の輝度と上述した被写体との距離とに基づいて、適切なフラッシュ発光量と露出値とが算出される(ステップＳ２)。
【００１９】
このようにして、フラッシュ発光量が求められた後に、撮影制御部２８は、ストロボ駆動回路３０を介してこのストロボ駆動回路３０内部のメインコンデンサの充電電圧を取得し(ステップＳ３)、この充電電圧とフラッシュ発光量を発生させるために必要な放出電力とに基づいて、フラッシュ発光が可能であるか否かを判定する(ステップＳ４)。
上述したメインコンデンサに十分な電荷が蓄積されている場合は(ステップＳ４の肯定判定)、撮影制御部２８は、フラッシュを伴う撮影が可能であると判断してストロボ駆動回路３０に上述したフラッシュ発光量に対応する電力の放出を指示するとともに、上述した露出値に応じて撮像素子２２の電子シャッタを制御することにより、撮影を実行する(ステップＳ５)。
【００２０】
このとき、調整処理部３３からの要求に応じて、測光データ収集部３１により、撮像素子２２によって得られた撮像データあるいは画像データから測光データが収集される(ステップＳ６)。
このようにして、本撮影時に得られた撮像データあるいは画像データから測光データが収集され、この測光データに基づいて、調整処理部３３により、フラッシュ光量および露出値を調整する処理が行われる(ステップＳ７)。
【００２１】
このとき、調整処理部２２は、例えば、収集された実測光データと適切な調光で撮影された際に得られるべき理想測光データとを比較し、実測光データを理想測光データに近づけるために必要な補正値をフラッシュ発光量と露出値とについて求め、これらの補正値をステップＳ２で得られたフラッシュ発光量および露出値に加算することで、これらの値を調整することができる。
【００２２】
このような補正処理を行って、連続撮影中に、フラッシュ光量および露出値を調整することにより、例えば、被写体が撮影者に近づくように移動している場合などに、この被写体を適切に撮影するために必要となるフラッシュ光量および露出値の変化を、次の撮影に適用されるフラッシュ光量および露出値に反映することができる。
このようにして、本撮影で得られた測光データに基づくフラッシュ光量および露出値の調整を行った後に、ステップＳ３に戻ることにより、このステップＳ３で取得したメインコンデンサの充電電圧と調整されたフラッシュ光量を発生するために必要な放出電力とに基づいて、次のフレームの撮影において必要とされるフラッシュ光量を発生させることができるか否かを判定することができる(ステップＳ４)。
【００２３】
上述したようにして連続撮影の際のフラッシュ光量を撮影されるフレームごとに制御することにより、例えば、撮影者に近づくように移動している被写体を連続撮影する場合には、被写体までの距離の短縮に応じてフラッシュ光量が次第に減少するように制御されるので、連続撮影の途中のフレームから被写体が露出オーバーで撮影されることを確実に防ぐことができる。
【００２４】
また、このような場合には、連続撮影開始時のメインコンデンサに蓄積されていた電荷が、各フレームにおいて必要とされるフラッシュ光量に対応する分だけ放出されるので、連続撮影期間に渡って同一量の電荷を放出させる場合に比べて、連続撮影可能なフレーム数を増大させることも可能である。
このようにしてフラッシュ光量を調整しながら連続撮影を続けていき、調整されたフラッシュ光量の発生に必要な電荷をメインコンデンサから放出させることができなくなったときに(ステップＳ４の否定判定)、撮影制御部２８は、図１に示したモード設定保持部３４を参照し、発光優先モードが設定されているか否かを判定する(ステップＳ８)。
【００２５】
上述したモード設定保持部３４２に発光優先モードを指示する情報が保持されている場合に(ステップＳ８の肯定判定)、撮影制御部２８は、レリーズボタンが全押しされているか否かに基づいて、利用者により連続撮影の継続が指示されているか否かを判定し(ステップＳ９)、このステップＳ９の肯定判定の場合は、ストロボ駆動回路３０におけるメインコンデンサの充電(ステップＳ１０)によって調整されたフラッシュ発光量を発生可能となるまで、ステップＳ３、Ｓ４、Ｓ８〜Ｓ１０を繰り返す。この場合は、ストロボのメインコンデンサの充電を待って、調整されたフラッシュ光量を適用した撮影が行われる。
【００２６】
このような制御を行うことにより、メインコンデンサの電荷が放出された後も、利用者が予め発光優先モードを設定している場合には、撮影間隔を延長してメインコンデンサを充電させながら、フラッシュ発光を伴う連続撮影が継続させることができる。
一方、モード設定保持部３４に間隔優先モードを指示する情報が保持されている場合に(ステップＳ８の否定判定)およびステップＳ９においてレリーズボタンの全押し状態が解除されたことが検出された場合(ステップＳ９の否定判定)に、撮影制御部２８は、連続撮影処理を終了する。
（第２の実施形態）
図３に、本発明にかかわる調整処理部の別実施形態を示す。
【００２７】
図３に示した調整処理部３３において、調光演算処理部３５は、測光データ収集部３１を介して本撮影の際に受け取った測光データに基づいて適正なフラッシュ光量を示すガイドナンバーＧＮｏと適正な露出値を示すＦ値および感度Ｓｖとを求め、これらの値を直前フレームの調光処理結果として補正処理部３８および被写体距離推定部３６に渡す。
図３に示した被写体距離推定部３６は、調光演算処理部３５から受け取った演算結果の変化に基づいて被写体距離の変化を推測し、連続撮影の次のフレームにおける被写体との距離を推定する。この推定結果は、補正処理部３８の処理に供されるとともに、推定情報保持部３７に渡され、この推定情報保持部３７には、少なくとも、直前フレームに対応する被写体距離および調光値(ガイドナンバー、Ｆ値および感度)と新たに推定された被写体距離および調光値とが、補正値算出の対象となるフレームに先立つ連続する２フレームに対応する推定情報としてこれらのフレームの撮影時刻とともに順次に保持される。
【００２８】
この補正処理部３８は、推定情報保持部３７に保持された被写体距離に関する情報に基づいて、上述した調光演算処理部３５によって得られた演算結果で示されるガイドナンバーを補正し、得られた補正結果を撮影制御部２８による撮影制御処理に供する。
以下、調整処理部による調光値調整処理について詳細に説明する。
図４に、本発明にかかわる調光値調整動作を表す流れ図を示す。
【００２９】
図４に示したステップＳ１１〜ステップＳ１５の処理は、図２に示した流れ図のステップＳ７に位置付けられる。
まず、測光データ収集部３１から受け取った測光データに基づいて、図３に示した調光演算処理部３５により、図１に示した調光演算処理部３２と同等の処理が行われ、この測光データが得られたときの被写体輝度Ｅｖ１および被写体距離Ｄ１と次に撮影されるフレームにおける被写体輝度Ｅｖｎおよび被写体距離Ｄｎとが同等である場合に適用すべき本発光量を示すガイドナンバーＧＮｏ１と適正な露出値を示すＦ値Ｆ１および感度Ｓｖ１とが求められる(ステップＳ１１)。
【００３０】
次に、被写体距離推定部３６は、推定情報保持部３７から推定対象のフレームに先立つ２フレームに対応して保持された被写体距離および撮影時刻を読み出し、これらの情報に基づいて、新たに撮影されるフレームにおける被写体との距離Ｄｎを推定する(ステップＳ１２)。
新たに撮影されるフレームにおける被写体との距離Ｄｎは、このフレームの直前のフレームにおける被写体距離Ｄ１および撮影時刻Ｔ１、その更に一つ前のフレームにおける被写体距離Ｄ２および撮影時刻Ｔ２と新たに撮影されるフレームの撮影予想時刻Ｔｎを用いて、式(１)のように表される。
【００３１】
【数１】
2008152097.tif 000003
ここで、被写体との距離Ｄと適正なガイドナンバーＧＮｏとの間には、撮影に適用されるＦ値Ｆ、感度Ｓｖと基準値との差ΔＳｖ、被写体輝度Ｅｖと適正値との差ΔＥｖとを用いて、式(２)で示されるような関係がある。なお、感度Ｓｖと基準値との差ΔＳｖは、基準値５から撮影時に使用したＳｖ値を差し引いた値として与えられる。また、被写体輝度Ｅｖと適正値との差ΔＥｖは、ΔＥｖ＝ｌｏｇ２(被写体輝度／適正値)として与えられる。
【００３２】
Ｄ＝ＧＮｏ／(Ｆ＊２(ΔＳｖ／２)＊２(ΔＥｖ／２))      ・・・（２）
この式(２)と上述した式(１)とを用いて整理することにより、新たに撮影されるフレームにおいて適用すべきガイドナンバーＧＮｏｎをステップＳ１１で求めたガイドナンバーＧＮｏ１と適正な露出値を示すＦ値Ｆ１を用いて表す式(３)が得られる。
ＧＮｏｎ＝ＧＮｏ１＋（Ｄｎ−Ｄ１）＊Ｆ１        ・・・（３）
したがって、図３に示した補正処理部３８は、まず、ステップＳ１２で求められた被写体距離の推定値Ｄｎと推定情報保持部３７に保持された直前フレームに対応する被写体距離Ｄ１およびＦ値Ｆ１とを下に示す式(４)に代入して補正値ΔＧＮｏを求め(ステップＳ１３)、得られた補正値ΔＧＮｏをステップＳ１１で得られたガイドナンバーＧＮｏ１に加える補正を行うことにより(ステップＳ１４)、新たに撮影されるフレームにおける被写体との距離の推定結果が反映された調光値を得ることができる。
【００３３】
ΔＧＮｏ＝（Ｄｎ−Ｄ１）＊Ｆ１        ・・・（４）
このようにして、調光値の補正処理を完了させた後に、推定対象のフレームに対応して推定された被写体距離Ｄｎを含む推定情報と直前のフレームに対応する被写体距離Ｄ１を含む推定情報とが、それぞれ直前のフレームに対応する推定情報とその前のフレームに対応する推定情報として推定情報保持部３７に保持され(ステップＳ１５)、新たなフレームに関する調光値の調整処理に供される。
【００３４】
なお、被写体距離の推定処理として、例えば、３以上のフレームに対応して保持しておいた被写体距離に適切な重みを設定して更に精密に被写体距離を推定することも可能である。
また、連続撮影の最初のフレームおよび２番目のフレームについて被写体距離を推定する際には、オートフォーカス処理部で得られる合焦情報を利用することができる。
【００３５】
また一方、上述したようにして測光データから求めた被写体距離を、図３に示すように撮影制御部２８を介してＡＦ機構３９に渡し、オートフォーカス制御に活用することも可能である。
【産業上の利用可能性】
【００３６】
以上に説明したように、本発明にかかわる連続撮影制御方法およびこれを適用した撮像装置では、フラッシュを伴う連続撮影を行った際に、常に、被写体を適切な明るさで撮影することができるので、フラッシュを伴う連続撮影機能を備えた様々な撮像装置において有用である。
また、本発明にかかわる連続撮影制御方法およびこれを適用した撮像装置は、フラッシュの光量を各フレームで過不足なく調整する制御を行ったことにより、ストロボ光源を駆動するメインコンデンサに蓄積された電荷を有効に利用することが可能となる点でも非常に有用である。
【００３７】
更に、利用者による設定に応じて、メインコンデンサを充電させつつフラッシュを伴う連続撮影を行う制御を実現したことにより、連続撮影に関して利用者の選択肢を増やし、利用者の好みを反映した撮影を実現することができる。
【図面の簡単な説明】
【００３８】
【図１】本発明にかかわる撮像装置の第１の実施形態を示す図である。
【図２】連続撮影動作を表す流れ図である。
【図３】本発明にかかわる調整処理部の別実施形態を示す図である。
【図４】本発明にかかわる調光値調整動作を表す流れ図である。
【符号の説明】
【００３９】
２１…光学系、２２…撮像素子、２３…Ａ／Ｄ変換器、２４…メモリ、２５…画像処理部、２６…記録処理部、２７…記憶媒体、２８…撮影制御部、２９…操作パネル、３０…ストロボ駆動回路、３１…測光データ収集部、３２，３５…調光演算処理部、３３…調整処理部、３４…モード設定保持部、３６…被写体距離推定部、３７…推定情報保持部、３８…補正処理部、３９…ＡＦ機構。
【図１】
2008152097.tif 000004
【図２】
2008152097.tif 000005
【図３】
2008152097.tif 000006
【図４】
2008152097.tif 000007